(57)【要約】【課題】設備機器管理システムに接続して使用可能な設備機器を提供する。【解決手段】設備機器である浴室暖房換気乾燥装置１は、設備機器管理システム１００と接続される通信制御部１０と、専用線で接続された操作部１４から制御情報が入力されると共に、設備機器管理システム１００から外部制御情報が入力され、選択した制御情報あるいは外部制御情報に基づき換気ファン１１、循環ファン１２及びヒータ１３を制御する制御部１６を備える。【選択図】    図１
2014110456.tif 000002
【特許請求の範囲】
【請求項１】
通信回線に主制御手段が接続された設備機器管理システムの前記通信回線と接続される通信制御手段と、
専用線で接続された操作手段から制御情報が入力されると共に、前記通信制御手段で接続された前記設備機器管理システムの前記主制御手段から外部制御情報が入力され、選択した制御情報あるいは外部制御情報に基づき被制御手段を制御する制御手段と
を備えたことを特徴とする設備機器。
【請求項２】
前記制御手段は、前記操作手段から入力された制御情報及び前記設備機器管理システムの前記主制御手段から入力された外部制御情報での操作を制限する操作設定情報が設定される
ことを特徴とする請求項１に記載の設備機器。
【請求項３】
前記制御手段は、前記操作手段から入力された制御情報での操作で運転を実行すると、前記設備機器管理システムの前記主制御手段から入力された外部制御情報での操作を制限し、前記設備機器管理システムの前記主制御手段から入力された外部制御情報での操作で運転を実行すると、前記操作手段から入力された制御情報での操作を制限する
ことを特徴とする請求項２に記載の設備機器。
【請求項４】
前記制御手段は、前記操作手段から入力された制御情報及び前記設備機器管理システムの前記主制御手段から入力された外部制御情報での操作を制限する設定が、時間で切り替えられる
ことを特徴とする請求項２または請求項３に記載の設備機器。
【請求項５】
前記制御手段は、前記設備機器管理システムの前記主制御手段から入力された外部制御情報での操作で運転を実行していることを通知する通知情報を出力すると共に、
前記操作手段から入力された制御情報での操作で運転を実行していることを通知する通知情報を、前記設備機器管理システムの前記主制御手段に出力して、前記通信回線に接続された外部機器で出力させる
ことを特徴とする請求項１〜請求項４の何れか１項に記載の設備機器。
【請求項６】
通信回線と接続された主制御手段と、
前記通信回線と接続される設備機器を備え、
前記設備機器は、
前記通信回線と接続される通信制御手段と、
専用線で接続された操作手段から制御情報が入力されると共に、前記通信制御手段で接続された前記主制御手段から外部制御信号が入力され、選択した制御情報あるいは外部制御情報に基づき被制御手段を制御する制御手段とを備えた
ことを特徴とする設備機器管理システム。
【発明の詳細な説明】
【技術分野】
【０００１】
本発明は、住宅に設置される設備機器及び設備機器が接続された設備機器管理システムに関する。
【背景技術】
【０００２】
近年、ホームエネルギーマネージメントシステム（ＨＥＭＳ）と称される住宅に設置される家電機器等の設備機器の管理システムが提案されている。このような設備機器管理システムでは、携帯電話等の外部の端末装置で設備機器を操作できるようにすると共に、外部端末装置での操作で動作していることを、外部端末装置に通知する技術が提案されている（例えば、特許文献１参照）。
【先行技術文献】
【特許文献】
【０００３】
【特許文献１】特許４６２１６４３号公報
【発明の概要】
【発明が解決しようとする課題】
【０００４】
携帯電話等の外部端末装置で設備機器の操作をできるようにすると、外出先での操作が可能となる。しかし、設備機器が設置されている住宅に居る人が設備機器を操作している場合に、外出先から別の人が設備機器を操作することで、実際に設備機器を使用している人の意図しない運転が行われる可能性がある。
【０００５】
本発明は、このような課題を解決するためになされたもので、設備機器管理システムに接続して使用される設備機器及び設備機器が接続された設備機器管理システムを提供することを目的とする。
【課題を解決するための手段】
【０００６】
上述した課題を解決するため、本発明は、通信回線に主制御手段が接続された設備機器管理システムの通信回線と接続される通信制御手段と、専用線で接続された操作手段から制御情報が入力されると共に、通信制御手段で接続された設備機器管理システムの主制御手段から外部制御情報が入力され、選択した制御情報あるいは外部制御情報に基づき被制御手段を制御する制御手段とを備えた設備機器である。
【０００７】
また、本発明は、通信回線と接続された主制御手段と、通信回線と接続される設備機器を備え、設備機器は、通信回線と接続される通信制御手段と、専用線で接続された操作手段から制御情報が入力されると共に、通信制御手段で接続された主制御手段から外部制御信号が入力され、選択した制御情報あるいは外部制御情報に基づき被制御手段を制御する制御手段とを備えた設備機器管理システムである。
【発明の効果】
【０００８】
本発明によれば、設備機器と設備機器管理システムを接続して、設備機器管理システムあるいは設備機器管理システムに接続された外部機器から設備機器に情報を出力することができ、設備機器管理システムあるいは外部機器から設備機器に外部制御情報を入力して、設備機器を操作することができる。
【０００９】
また、設備機器管理システムあるいは外部機器から設備機器に入力された外部制御情報と、設備機器の操作手段で入力された制御情報を選択して、設備機器を操作することができ、意図しない運転が行われることを防ぐことができる。
【図面の簡単な説明】
【００１０】
【図１】本実施の形態の設備機器の一例を示す浴室暖房換気乾燥装置の機能ブロック図である。
【図２】本実施の形態の設備機器管理システムの一例を示す構成図である。
【図３】操作部の一例を示す正面図である。
【図４】外部端末装置の画面表示例を示す正面図である。
【図５】操作部での操作で運転が実行されていることを外部端末装置で通知する動作の一例を示すフローチャートである。
【図６】操作部での出力例を示す説明図である。
【図７】外部端末装置での表示例を示す説明図である。
【図８】外部端末装置での操作で運転が実行されていることを操作部で通知する動作の一例を示すフローチャートである。
【図９】外部端末装置での表示例を示す説明図である。
【図１０】操作部での出力例を示す説明図である。
【図１１】操作設定情報に基づく動作の一例を示すフローチャートである。
【図１２】操作設定情報に基づく動作の他の例を示すフローチャートである。
【図１３】操作設定情報に基づく動作の他の例を示すフローチャートである。
【図１４】外因による運転停止後の動作の一例を示すフローチャートである。
【図１５】外部端末装置での表示例を示す説明図である。
【図１６】操作部での出力例を示す説明図である。
【図１７】浴室暖房換気乾燥装置と他機器を連動させた動作の一例を示すフローチャートである。
【図１８】外部端末装置での操作設定情報に基づく動作の一例を示すフローチャートである。
【図１９】通信制御部の着脱に基づく動作の一例を示すフローチャートである。
【図２０】通信制御部の着脱に基づく動作の一例を示すフローチャートである。
【発明を実施するための形態】
【００１１】
以下、図面を参照して、本発明の設備機器及び設備機器管理システムの実施の形態について説明する。
【００１２】
＜本実施の形態の設備機器及び設備機器管理システムの構成例＞
図１は、本実施の形態の設備機器の一例を示す浴室暖房換気乾燥装置の機能ブロック図、図２は、本実施の形態の設備機器管理システムの一例を示す構成図である。
【００１３】
本実施の形態の設備機器としての浴室暖房換気乾燥装置１は、ホームエネルギーマネージメントシステム（ＨＥＭＳ）と称される設備機器管理システム１００に接続されて使用される。
【００１４】
設備機器管理システム１００は、住宅２００に宅内ネットワーク１０１が構成される。設備機器管理システム１００は、ホームゲートウエイと称される主制御機器１０２が住宅２００に設置され、主制御機器１０２が宅内ネットワーク１０１に接続される。
【００１５】
また、設備機器管理システム１００は、主制御機器１０２で取得、生成された情報等、各種情報が表示される表示機器１０３が住宅２００に設置され、表示機器１０３が宅内ネットワーク１０１に接続される。
【００１６】
本実施の形態の浴室暖房換気乾燥装置１は、宅内ネットワーク１０１に接続されることで、設備機器管理システム１００に組み込まれ、宅内ネットワーク１０１に接続された主制御機器１０２との通信機能を備える。
【００１７】
設備機器管理システム１００は、浴室暖房換気乾燥装置１の他の設備機器として、例えば、床暖房装置、熱交換型換気装置等の換気装置等が、宅内ネットワーク１０１に接続される。更に、設備機器としては、エアコンディショナー、洗濯機等の家電機器２、太陽光発電装置等のエネルギー機器３等が宅内ネットワーク１０１に接続され、各設備機器が、宅内ネットワーク１０１に接続された主制御機器１０２との通信機能を備える。
【００１８】
設備機器管理システム１００は、公衆回線網等の外部ネットワーク１０４と接続される。設備機器管理システム１００は、宅内ネットワーク１０１に接続される主制御機器１０２、浴室暖房換気乾燥装置１、家電機器２及びエネルギー機器３等が、外部ネットワーク１０４に接続されるスマートフォン等の外部端末装置１０５、サーバ等の外部システム１０６等との通信機能を備える。
【００１９】
設備機器管理システム１００は、外部端末装置１０５を設備機器管理システム１００に接続して使用するアプリケーションが外部端末装置１０５にインストールされる。
【００２０】
設備機器管理システム１００は、浴室暖房換気乾燥装置１等の設備機器の運転に関連する運転情報が主制御機器１０２に入力され、浴室暖房換気乾燥装置１等の運転情報が主制御機器１０２から外部端末装置１０５に出力される。設備機器管理システム１００は、設備機器の運転情報として、例えば浴室暖房換気乾燥装置１では、実行中の運転モード、運転モードにおける風量の設定、消費電力等の情報が、主制御機器１０２から外部端末装置１０５に出力される。
【００２１】
そして、設備機器管理システム１００は、浴室暖房換気乾燥装置１等の運転情報が、外部端末装置１０５にインストールされたアプリケーションにより、外部端末装置１０５で例えば目視可能な情報として出力される。
【００２２】
また、設備機器管理システム１００は、外部端末装置１０５に設けられた近接無線通信機能等を利用して、浴室暖房換気乾燥装置１等の運転情報が浴室暖房換気乾燥装置１等から外部端末装置１０５に出力され、浴室暖房換気乾燥装置１等の運転情報が外部端末装置１０５で目視可能な情報として出力される。
【００２３】
設備機器管理システム１００は、外部端末装置１０５にインストールされたアプリケーションにより、浴室暖房換気乾燥装置１、家電機器２及びエネルギー機器３等の設備機器の所定の操作が、外部端末装置１０５で行われる。
【００２４】
すなわち、設備機器管理システム１００は、浴室暖房換気乾燥装置１等を操作する外部制御情報が外部端末装置１０５から主制御機器１０２に入力され、浴室暖房換気乾燥装置１等を操作する外部制御情報が主制御機器１０２から浴室暖房換気乾燥装置１等に入力される。
【００２５】
また、設備機器管理システム１００は、外部端末装置１０５から外部制御情報が入力されたことを通知する通知情報が、主制御機器１０２から操作対象とされた浴室暖房換気乾燥装置１等に出力される。
【００２６】
更に、設備機器管理システム１００は、外部端末装置１０５から入力された外部制御情報による操作に関連した操作設定情報が、外部端末装置１０５での操作対象とされた浴室暖房換気乾燥装置１等で設定される。設備機器管理システム１００は、設備機器の操作設定情報として、例えば浴室暖房換気乾燥装置１では、外部端末装置１０５から入力された外部制御情報による浴室暖房換気乾燥装置１の操作を制限する設定、すなわち、操作を有効とするか無効とするか、操作の優先順位等が設定される。
【００２７】
設備機器管理システム１００は、設置された浴室暖房換気乾燥装置１等の保守、管理を行う機器メーカのサーバ等の外部システム１０６に接続される。設備機器管理システム１００は、浴室暖房換気乾燥装置１等の保守、管理に必要な管理情報が主制御機器１０２に入力され、浴室暖房換気乾燥装置１等の管理情報が主制御機器１０２から外部システム１０６に出力される。また、浴室暖房換気乾燥装置１等の運転に伴う運転管理情報が主制御機器１０２から外部システム１０６に出力される。
【００２８】
設備機器管理システム１００は、設備機器の管理情報として、例えば浴室暖房換気乾燥装置１では、浴室暖房換気乾燥装置１を特定する機器情報、浴室暖房換気乾燥装置１の使用者情報等が、所定の操作で外部システム１０６に出力される。また、設備機器管理システム１００は、設備機器の運転管理情報として、例えば浴室暖房換気乾燥装置１では、浴室暖房換気乾燥装置１の電源投入時等の所定の起算日、起算日からの運用時間、運用時間に伴う点検時期等が外部システム１０６に出力される。
【００２９】
次に、本実施の形態の浴室暖房換気乾燥装置１の機能について説明する。本実施の形態の浴室暖房換気乾燥装置１は、宅内ネットワーク１０１及び宅内ネットワーク１０１を介して外部ネットワーク１０４と接続される通信制御部１０を備え、設備機器管理システム１００に接続されて使用される。
【００３０】
浴室暖房換気乾燥装置１は、住宅２００の浴室２０１に設置され、浴室２０１及び他室の換気、浴室２０１の暖房、浴室２０１内にある被乾燥物の乾燥等を行う機能を備える。
【００３１】
浴室暖房換気乾燥装置１は、上述した機能を実現するため、本例では、浴室２０１の空気を吸い込んで、屋外に排気する換気ファン１１と、浴室２０１から空気を吸い込み、浴室２０１から吸い込んだ空気を循環させて浴室２０１に吹き出す循環ファン１２と、循環ファン１２で吹き出される空気を加熱するヒータ１３を備える。
【００３２】
また、浴室暖房換気乾燥装置１は、運転モードの選択、運転の停止等の利用者の操作を受け、利用者の操作に基づく制御情報を出力する操作部１４と、浴室２０１に関連した所定の状態を検出し、浴室２０１に関連した関連情報を出力するセンサ１５を備える。
【００３３】
更に、浴室暖房換気乾燥装置１は、操作部１４から入力された制御情報及びセンサ１５から入力された関連情報に基づき、換気ファン１１、循環ファン１２及びヒータ１３等を制御する制御部１６を備える。
【００３４】
通信制御部１０は、設備機器管理システム１００を構成する宅内ネットワーク１０１に接続された浴室暖房換気乾燥装置１と主制御機器１０２との通信機能、浴室暖房換気乾燥装置１と、外部ネットワーク１０４に接続された外部端末装置１０５及び外部システム１０６との通信機能を実現する通信手段の一例である。
【００３５】
通信制御部１０は、浴室暖房換気乾燥装置１から主制御機器１０２へ、浴室暖房換気乾燥装置１の運転情報、管理情報及び運転管理情報等の各種情報の出力、主制御機器１０２から浴室暖房換気乾燥装置１への外部制御情報、通知情報等の各種情報の入力が行われる。
【００３６】
また、通信制御部１０は、宅内ネットワーク１０１と外部ネットワーク１０４が接続されることで、浴室暖房換気乾燥装置１から外部端末装置１０５あるいは外部システム１０６等の外部機器へ、浴室暖房換気乾燥装置１の運転情報、管理情報及び運転管理情報等の各種情報の出力、外部端末装置１０５あるいは外部システム１０６等の外部機器から浴室暖房換気乾燥装置１への外部制御情報、通知情報等の各種情報の入力が行われる。ここで、通信制御部１０は、浴室暖房換気乾燥装置１に予め実装されている装置であっても良いし、浴室暖房換気乾燥装置１とは独立した装置を、着脱可能に設ける構成としても良い。
【００３７】
換気ファン１１、循環ファン１２及びヒータ１３は、制御部１６に制御される被制御手段の一例で、換気ファン１１及び循環ファン１２は、図示しない羽根車を回転させるモータの駆動の有無、回転数等が制御される。また、ヒータ１３は、駆動の有無、出力等が制御される。
【００３８】
操作部１４は操作手段の一例で、専用線を介して浴室暖房換気乾燥装置１と接続され、浴室２０１への入口となる洗面脱衣所等、浴室暖房換気乾燥装置１の設置場所の近傍に設置される。
【００３９】
センサ１５は検出手段の一例で、浴室２０１に関連した関連情報として、例えば、浴室暖房換気乾燥装置１に吸い込まれる空気の温度から、浴室２０１の温度を検出する温度検出センサを備える。センサ１５としては、浴室２０１内に人が居るか否か、浴室２０１内での人の動きを検出するため、浴室２０１内での人の動きを検出する人感センサを備えても良い。また、浴室２０１の照明スイッチの状態を検出するセンサを備えても良い。
【００４０】
制御部１６は制御手段の一例で、操作部１４での操作で選択された運転モードで運転を実行する制御情報、運転を停止させる制御情報、運転モードにおける設定を変更する制御情報等に基づき、換気ファン１１、循環ファン１２及びヒータ１３を制御する。
【００４１】
制御部１６は、予め設定された所定のプログラムに従って実行される運転モードとして、換気ファン１１を駆動することで、所定の換気風量で常時の換気運転を行う２４時間換気運転モードを備える。
【００４２】
また、制御部１６は、循環ファン１２とヒータ１３を駆動することで、浴室２０１に温風を吹き出す暖房運転を行う暖房運転モードと、換気ファン１１を駆動することで、２４時間換気運転モードでの換気風量より多い所定の換気風量で主に浴室２０１の換気運転を行う換気運転モードを備える。
【００４３】
更に、制御部１６は、循環ファン１２とヒータ１３と換気ファン１１を駆動して、浴室２０１内の換気動作を行いながら、浴室内に温風を吹き出して乾燥運転を行う乾燥運転モードと、循環ファン１２を駆動して、浴室２０１内に浴室２０１の温度に応じて風を吹き出す涼風運転を行う涼風運転モードを備える。
【００４４】
また、制御部１６は、宅内ネットワーク１０１で接続された通信制御部１０と主制御機器１０２との間で情報が入出力されることで、浴室暖房換気乾燥装置１で実行中の運転モードの種別、風量等、浴室暖房換気乾燥装置１の各種状態を示す運転情報、浴室暖房換気乾燥装置１の管理情報あるいは運転管理情報等を主制御機器１０２に出力する。
【００４５】
すなわち、制御部１６は、主制御機器１０２からの要求に基づき、浴室暖房換気乾燥装置１の運転情報、管理情報あるいは運転管理情報等を主制御機器１０２に出力する。また、制御部１６は、操作部１４での操作に基づき、浴室暖房換気乾燥装置１の運転情報、管理情報あるいは運転管理情報等を主制御機器１０２に出力する。
【００４６】
更に、制御部１６は、宅内ネットワーク１０１で接続された通信制御部１０と主制御機器１０２との間で情報が入出力されることで、浴室暖房換気乾燥装置１の運転情報、管理情報あるいは運転管理情報等を、外部端末装置１０５あるいは外部システム１０６等の外部機器に出力する。
【００４７】
すなわち、制御部１６は、外部ネットワーク１０４から宅内ネットワーク１０１に接続された外部端末装置１０５あるいは外部システム１０６からの要求に基づき、浴室暖房換気乾燥装置１の運転情報、管理情報あるいは運転管理情報等を、外部端末装置１０５あるいは外部システム１０６に出力する。
【００４８】
また、制御部１６は、操作部１４での操作に基づき、浴室暖房換気乾燥装置１の運転情報、管理情報あるいは運転管理情報等を、外部端末装置１０５あるいは外部システム１０６に出力する。
【００４９】
制御部１６は、宅内ネットワーク１０１で接続された通信制御部１０と主制御機器１０２との間で情報が入出力されることで、主制御機器１０２、外部端末装置１０５あるいは外部システム１０６等の外部機器からの要求に基づき、浴室暖房換気乾燥装置１を制御する制御情報、浴室暖房換気乾燥装置１への通知情報が入力される。
【００５０】
また、制御部１６は、主制御機器１０２、外部端末装置１０５あるいは外部システム１０６等の外部機器から入力された外部制御情報による操作に関連した操作設定情報が設定される。
【００５１】
制御部１６は、操作部１４から入力された制御情報、及び、外部端末装置１０５等から入力された外部制御情報による浴室暖房換気乾燥装置１の操作の制限として、操作を有効とするか無効とするかを、操作設定情報に基づき判断する。また、制御部１６は、外部端末装置１０５等から入力された外部制御情報による浴室暖房換気乾燥装置１の操作と、操作部１４から入力された制御情報による浴室暖房換気乾燥装置１の操作のどちらを優先するかを、操作設定情報に基づき判断する。
【００５２】
更に、制御部１６は、外部端末装置１０５から外部制御情報が入力されたことを通知する通知情報が入力されると、操作部１４等で通知情報を出力する。また、制御部１６は、操作部１４から制御情報が入力されたことを通知する通知情報が入力されると、主制御機器１０２に通知情報を出力して、外部端末装置１０５で通知情報を出力させる。
【００５３】
＜操作部の構成例＞
図３は、操作部の一例を示す正面図である。操作部１４は、運転モードを選択する運転モード選択ボタン１４ａと、運転を停止する停止ボタン１４ｂと、運転時間を設定する運転時間設定ボタン１４ｃを備える。
【００５４】
また、操作部１４は、運転モード選択ボタン１４ａで選択された運転モード、及び、各運転モードでの設定等を目視可能に出力する運転状態ランプ１４ｄを備える。更に、操作部１４は、外部端末装置１０５から外部制御情報が入力されたことを通知する外部運転通知ランプ１４ｅを備える。
【００５５】
操作部１４は、運転モード選択ボタン１４ａが押されると、選択された運転モードに対応する運転状態ランプ１４ｄが点灯する。また、選択された運転モードに対応する制御情報が制御部１６に出力される。操作部１４は、制御部１６に外部端末装置１０５から外部制御情報が入力されたことを通知する通知情報が入力されると、外部運転通知ランプ１４ｅが点灯する。
【００５６】
＜外部端末装置の構成例＞
図４は、外部端末装置の画面表示例を示す正面図である。外部端末装置１０５は、タッチパネル等と称される入力装置を有した表示部１０５ａを備え、浴室暖房換気乾燥装置１を操作する運転モード選択画面１０５ｂとして、運転モードを選択する運転モード選択ボタン１０５ｃが表示される。外部端末装置１０５は、運転モード選択ボタン１０５ｃの部位に触れられると、選択された運転モードに対応する外部制御情報が出力される。
【００５７】
＜本実施の形態の設備機器及び設備機器管理システムの動作例＞
図５は、操作部での操作で運転が実行されていることを外部端末装置で通知する動作の一例を示すフローチャート、図６は、操作部での出力例を示す説明図、図７は、外部端末装置での表示例を示す説明図であり、次に、各図を参照して、操作部１４での操作で浴室暖房換気乾燥装置１の運転が実行されていることを外部端末装置１０５で通知する動作について説明する。
【００５８】
図５のステップＳＡ１で、操作部１４で所望の運転モード選択ボタン１４ａが押されて運転モードが選択されると、図６に示すように、選択された運転モードに対応する運転状態ランプ１４ｄが点灯する。
【００５９】
また、選択された運転モードに対応する制御情報が制御部１６に出力され、図５のステップＳＡ２で、選択された運転モードで浴室暖房換気乾燥装置１の運転が実行される。
【００６０】
更に、操作部１４での操作で選択された運転モードで浴室暖房換気乾燥装置１の運転が実行されていることを通知する通知情報が、宅内ネットワーク１０１で接続された主制御機器１０２に出力され、図５のステップＳＡ３で、宅内ネットワーク１０１から外部ネットワーク１０４に接続された外部端末装置１０５に通知情報が出力される。
【００６１】
外部端末装置１０５は、通知情報が入力されると、図５のステップＳＡ４で、図７に示すように、操作部１４での操作で浴室暖房換気乾燥装置１の運転が実行されていることを通知する通知情報１０５ｅを表示する。
【００６２】
住宅２００に居る人が操作部１４を操作して浴室暖房換気乾燥装置１を使用しているときに、外部端末装置１０５を所有する人が外出先等から浴室暖房換気乾燥装置１の操作を行えるようにすると、在宅の人が浴室暖房換気乾燥装置１を使用中であるにも関わらず、意図しない運転に切り替わる可能性がある。
【００６３】
そこで、本実施の形態では、操作部１４の操作で浴室暖房換気乾燥装置１の運転が行われていることを、外部端末装置１０５で通知情報１０５ｅを表示して通知することで、外出先等から外部端末装置１０５で浴室暖房換気乾燥装置１の使用状況を確認することができ、浴室暖房換気乾燥装置１の使用状況を確認した上で、操作が可能になる。
【００６４】
ここで、外部端末装置１０５からの操作を行う場合は、パスコード等の認証情報の入力を外部端末装置１０５で要求することで、認証情報を知らない人の操作を防ぐ。
【００６５】
図８は、外部端末装置での操作で運転が実行されていることを操作部で通知する動作の一例を示すフローチャート、図９は、外部端末装置での表示例を示す説明図、図１０は、操作部での出力例を示す説明図であり、次に、各図を参照して、外部端末装置１０５での操作で浴室暖房換気乾燥装置１の運転が実行されていることを操作部１４で通知する動作について説明する。
【００６６】
図８のステップＳＢ１で、外部端末装置１０５で所望の運転モード選択ボタン１０５ｃに触れられて運転モードが選択されると、選択された運転モードに対応する外部制御情報が、図８のステップＳＢ２で、外部ネットワーク１０４から宅内ネットワーク１０１に接続された主制御機器１０２に出力される。
【００６７】
そして、外部端末装置１０５から出力された外部制御情報は、主制御機器１０２から浴室暖房換気乾燥装置１に出力される。また、外部端末装置１０５から外部制御情報が入力されたことを通知する通知情報が、主制御機器１０２から浴室暖房換気乾燥装置１に出力される。
【００６８】
浴室暖房換気乾燥装置１では、図８のステップＳＢ３で、外部端末装置１０５から入力された外部制御情報に基づき、外部端末装置１０５で選択された運転モードで運転が実行される。
【００６９】
また、浴室暖房換気乾燥装置１では、図８のステップＳＢ４で、主制御機器１０２から入力された通知情報に基づき、図１０に示すように、操作部１４の外部運転通知ランプ１４ｅが点灯する。
【００７０】
外部端末装置１０５を所有する人が外出先等から浴室暖房換気乾燥装置１の操作を行って浴室暖房換気乾燥装置１の運転を行わせているときに、住宅２００に居る人が操作部１４を操作して浴室暖房換気乾燥装置１を使用できるようにすると、外出先等から運転を行ったにも関わらず、意図しない運転に切り替わる可能性がある。
【００７１】
そこで、本実施の形態では、外部端末装置１０５の操作で浴室暖房換気乾燥装置１の運転が行われることを操作部１４で通知することで、外出先等から外部端末装置１０５の操作で浴室暖房換気乾燥装置１が運転されていることを操作部１４で確認することができ、浴室暖房換気乾燥装置１の使用状況を確認した上で、操作が可能になる。なお、操作部１４での通知は、表示出力に限らず、音声、警告音等でも良い。
【００７２】
ここで、外部端末装置１０５の操作で浴室暖房換気乾燥装置１等の設備機器の運転を可能とすると、外出先等からの操作では、浴室暖房換気乾燥装置１及び浴室暖房換気乾燥装置１の設置場所である浴室２０１の状態を確認できない。
【００７３】
そこで、外部端末装置１０５の操作で浴室暖房換気乾燥装置１等の設備機器の運転を開始する場合、運転を開始するまでの待機時間を設定して、設備機器の設置場所である例えば浴室２０１に人が居る場合に、当該人の操作で外部端末装置１０５での操作の有効、無効の設定を可能とする。
【００７４】
また、外部端末装置１０５の操作で浴室暖房換気乾燥装置１の運転を開始する場合、センサ１５として例えば人感センサで浴室暖房換気乾燥装置１の設置場所である浴室２０１に人が居ることを検出した場合に、人を検出している間は運転を開始しない、あるいは運転を無効とする。
【００７５】
外部端末装置１０５の操作で浴室暖房換気乾燥装置１等の設備機器の運転を開始する場合、センサ１５として例えば温度検出センサで検出した浴室２０１の温度に基づき、運転の可否、運転モードの選択の可否を切り替える。
【００７６】
例えば、設備機器がエアコンディショナー等の空調装置の場合、機器周囲または室温の温度がある温度以上であるときは、暖房運転を無効とし、ある温度以下であるときは、冷房運転を無効とすることで、外部端末装置１０５での操作を行っていない人が過剰暖房、過剰冷房の環境下に置かれることを防ぐ。
【００７７】
また、外部端末装置１０５の操作で設備機器の運転を開始する場合、温度設定をできるような場合は、前回設定された温度情報で運転を実行して、温度変化等、状態の変化を防ぐ。
【００７８】
外部端末装置１０５の操作で浴室暖房換気乾燥装置１等の設備機器の運転を開始する場合、ルーバ等の可動部分、清掃可能箇所に注意喚起の文言を表示する。また、可動部あるいは清掃可能箇所の近傍に、外部端末装置１０５での操作を無効とする操作部位を設けても良い。
【００７９】
また、外部端末装置１０５の操作で浴室暖房換気乾燥装置１等の設備機器の運転を停止する場合、可動部を所定のポジションに戻すような構成であっては、可動部を運転時の位置で停止させても良い。
【００８０】
図１１は、操作設定情報に基づく動作の一例を示すフローチャートで、次に、各図を参照して、浴室暖房換気乾燥装置１で実行されている運転モードを選択した操作部位以外での操作を無効とする操作設定情報に基づく動作について説明する。
【００８１】
浴室暖房換気乾燥装置１では、操作部１４から入力された制御情報による操作を有効とするか無効とするか、外部端末装置１０５から入力された外部制御情報による浴室暖房換気乾燥装置１の操作を有効とするか無効とするかが、操作設定情報により予め設定される。これにより、浴室暖房換気乾燥装置１で実行されている運転モードを選択した操作部位での操作が有効と設定され、他の操作部位での操作が無効と設定されている。
【００８２】
操作設定情報の設定は、操作部１４あるいは外部端末装置１０５から行われる。ここで、外部端末装置１０５から操作設定情報の設定を行う場合は、パスコード等の認証情報の入力を外部端末装置１０５で要求することで、認証情報を知らない人の操作で外部端末装置１０５から操作設定情報が変更させることを防ぐ。
【００８３】
図１１のステップＳＣ１で、運転モードの選択等、操作部１４あるいは外部端末装置１０５で浴室暖房換気乾燥装置１の操作をすると、図１１のステップＳＣ２で、操作設定情報で操作部１４からの操作を有効としているか、外部端末装置１０５からの浴室暖房換気乾燥装置１の操作を有効としているか判断する。
【００８４】
外部端末装置１０５で浴室暖房換気乾燥装置１の操作が行われた場合、浴室暖房換気乾燥装置１で実行されている運転モードが外部端末装置１０５で選択されていることで、操作設定情報で外部端末装置１０５からの浴室暖房換気乾燥装置１の操作を有効としていると判断すると、図１１のステップＳＣ３で、外部端末装置１０５での操作で浴室暖房換気乾燥装置１の運転が実行される。
【００８５】
これに対し、浴室暖房換気乾燥装置１で実行されている運転モードが操作部１４で選択されていることで、操作設定情報で外部端末装置１０５からの浴室暖房換気乾燥装置１の操作を無効としていると判断すると、図１１のステップＳＣ４で、外部端末装置１０５での浴室暖房換気乾燥装置１の操作を無効とする。
【００８６】
また、操作部１４で浴室暖房換気乾燥装置１の操作が行われた場合、浴室暖房換気乾燥装置１で実行されている運転モードが操作部１４で選択されていることで、操作設定情報で操作部１４からの浴室暖房換気乾燥装置１の操作を有効としていると判断すると、図１１のステップＳＣ３で、操作部１４での操作で浴室暖房換気乾燥装置１の運転が実行される。
【００８７】
これに対し、浴室暖房換気乾燥装置１で実行されている運転モードが外部端末装置１０５で選択されていることで、操作設定情報で操作部１４からの浴室暖房換気乾燥装置１の操作を無効としていると判断すると、図１１のステップＳＣ４で、操作部１４での浴室暖房換気乾燥装置１の操作を無効とする。
【００８８】
複数の操作部位がある構成で、上述したように、住宅２００に居る人が一の操作部位である操作部１４を操作して浴室暖房換気乾燥装置１を使用しているときに、他の操作部位である外部端末装置１０５を所有する人が外出先等から浴室暖房換気乾燥装置１の操作を行えるようにすると、在宅の人が浴室暖房換気乾燥装置１を使用中であるにも関わらず、意図しない運転に切り替わる可能性がある。
【００８９】
そこで、本実施の形態では、浴室暖房換気乾燥装置１で実行されている運転モードを選択した操作部位以外での操作を無効とすることで、実際に操作が行われる操作部位以外での操作を制限でき、使用者が意図しない運転への切り替え等を防ぐことができる。
【００９０】
図１２は、操作設定情報に基づく動作の他の例を示すフローチャートで、次に、各図を参照して、浴室暖房換気乾燥装置１で実行されている運転モードを選択した操作部位以外での操作を有効とするか無効とするかの設定を、時間の経過で切り替える動作の一例について説明する。
【００９１】
浴室暖房換気乾燥装置１では、浴室暖房換気乾燥装置１で実行されている運転モードを選択した操作部位以外での操作を、運転開始からの時間の経過で有効とするか無効とするかが、操作設定情報により予め設定される。操作設定情報の設定は、操作部１４あるいは外部端末装置１０５から行われる。
【００９２】
図１２のステップＳＤ１で、運転モードの選択等、操作部１４あるいは外部端末装置１０５で浴室暖房換気乾燥装置１の操作をすると、図１２のステップＳＤ２で、操作部１４あるいは外部端末装置１０５での操作で運転を開始してから、操作設定情報で他の操作部位からの浴室暖房換気乾燥装置１の操作を有効とする時間が経過しているか判断する。
【００９３】
操作部１４あるいは外部端末装置１０５での操作で運転を開始してから、他の操作部位からの浴室暖房換気乾燥装置１の操作を有効とする時間が経過していると判断すると、図１２のステップＳＤ３で、浴室暖房換気乾燥装置１で実行されている運転モードが操作部１４で選択されている場合は、外部端末装置１０５での操作で浴室暖房換気乾燥装置１の運転が実行される。また、浴室暖房換気乾燥装置１で実行されている運転モードが外部端末装置１０５で選択されている場合は、操作部１４での操作で浴室暖房換気乾燥装置１の運転が実行される。
【００９４】
これに対し、操作部１４あるいは外部端末装置１０５での操作で運転を開始してから、他の操作部位からの浴室暖房換気乾燥装置１の操作を有効とする時間が経過していないと判断すると、図１２のステップＳＤ４で、浴室暖房換気乾燥装置１で実行されている運転モードが操作部１４で選択されている場合は、外部端末装置１０５での浴室暖房換気乾燥装置１の操作を無効とする。また、浴室暖房換気乾燥装置１で実行されている運転モードが外部端末装置１０５で選択されている場合は、操作部１４での操作を無効とする。
【００９５】
複数の操作部位がある構成で、例えば、外部端末装置１０５での浴室暖房換気乾燥装置１の操作を無効とする場合でも、操作部１４での操作で運転を開始してから、所定の時間が経過しているような場合は、浴室２０１に人が居ない、被乾燥物が乾燥している等、浴室暖房換気乾燥装置１の使用を停止しても良い場合がある。
【００９６】
そこで、本実施の形態では、操作部１４での操作で運転を開始してからの時間の経過で、外部端末装置１０５での操作を有効とするか無効とするかの設定を切り替えることで、浴室暖房換気乾燥装置１の機能を使用しているような場合に、使用者が意図しない運転への切り替え等を防ぐことができる。
【００９７】
図１３は、操作設定情報に基づく動作の他の例を示すフローチャートで、次に、各図を参照して、浴室暖房換気乾燥装置１で実行されている運転モードを選択した操作部位以外での操作を有効とするか無効とするかの設定を、時間の経過で切り替える動作の他の例について説明する。
【００９８】
浴室暖房換気乾燥装置１では、操作部１４あるいは外部端末装置１０５による浴室暖房換気乾燥装置１の操作を、運転終了までの残り時間で有効とするか無効とするかが、操作設定情報により予め設定される。操作設定情報の設定は、操作部１４あるいは外部端末装置１０５から行われる。
【００９９】
図１３のステップＳＥ１で、運転モードの選択等、操作部１４あるいは外部端末装置１０５で浴室暖房換気乾燥装置１の操作をすると、図１３のステップＳＥ２で、操作部１４あるいは外部端末装置１０５での操作で運転を開始してから、運転終了までの残り時間が、操作設定情報で他の操作部位からの浴室暖房換気乾燥装置１の操作を有効とする時間より短いか判断する。
【０１００】
操作部１４あるいは外部端末装置１０５での操作で運転を開始してから、運転終了までの残り時間が、他の操作部位からの浴室暖房換気乾燥装置１の操作を有効とする時間より短いと判断すると、図１３のステップＳＥ３で、浴室暖房換気乾燥装置１で実行されている運転モードが操作部１４で選択されている場合は、外部端末装置１０５での操作で浴室暖房換気乾燥装置１の運転が実行される。また、浴室暖房換気乾燥装置１で実行されている運転モードが外部端末装置１０５で選択されている場合は、操作部１４での操作で浴室暖房換気乾燥装置１の運転が実行される。
【０１０１】
これに対し、操作部１４あるいは外部端末装置１０５での操作で運転を開始してから、運転終了までの残り時間が、他の操作部位からの浴室暖房換気乾燥装置１の操作を有効とする時間より長いと判断すると、図１３のステップＳＥ４で、浴室暖房換気乾燥装置１で実行されている運転モードが操作部１４で選択されている場合は、外部端末装置１０５での浴室暖房換気乾燥装置１の操作を無効とする。また、浴室暖房換気乾燥装置１で実行されている運転モードが外部端末装置１０５で選択されている場合は、操作部１４での操作を無効とする。
【０１０２】
複数の操作部位がある構成で、例えば、外部端末装置１０５での浴室暖房換気乾燥装置１の操作を無効とする場合でも、操作部１４での操作で運転を開始してから、運転終了までの残り時間が、所定の時間より短いような場合は、浴室２０１に人が居ない、被乾燥物が乾燥している等、浴室暖房換気乾燥装置１の使用を停止しても良い場合がある。
【０１０３】
一方、操作部１４での操作で暖房運転モードを開始した直後に、外部端末装置１０５からの操作で他の運転モードに変更されてしまう、乾燥運転モードの終了時間近くに外部端末装置１０５からの操作で運転が停止されてしまうことで、使用者の目的が果たせなくなる場合がある。
【０１０４】
そこで、本実施の形態では、操作部１４での操作で運転を開始してから、運転終了までの残り時間で、外部端末装置１０５での操作を有効とするか無効とするかの設定を切り替えることで、浴室暖房換気乾燥装置１の機能を使用しているような場合に、使用者が意図しない運転への切り替え等を防ぐことができる。
【０１０５】
図１４は、外因による運転停止後の動作の一例を示すフローチャート、図１５は、外部端末装置での表示例を示す説明図、図１６は、操作部での出力例を示す説明図であり、次に、外因による運転停止後の浴室暖房換気乾燥装置１の動作の一例について説明する。
【０１０６】
図１４のステップＳＦ１で、設備機器管理システム１００での電力制限等の外因で浴室暖房換気乾燥装置１の運転が停止すると、図１４のステップＳＦ２で、外因で浴室暖房換気乾燥装置１の運転が停止されたことを通知する通知情報が、宅内ネットワーク１０１から外部ネットワーク１０４に接続された外部端末装置１０５に通知情報が出力される。外部端末装置１０５では、図１５に示すように、外因で浴室暖房換気乾燥装置１の運転が停止されたことを通知する通知情報１０５ｆを表示する。
【０１０７】
また、図１４のステップＳＦ３で、外因で浴室暖房換気乾燥装置１の運転が停止されたことを操作部１４で通知するため、図１６に示すように、操作部１４の外部運転通知ランプ１４ｅが点灯する。
【０１０８】
図１４のステップＳＦ４で、設備機器管理システム１００での電力制限が解除されると、図１４のステップＳＦ５で、浴室暖房換気乾燥装置１は、運転停止前に実行していた運転モードで運転を再開する。
【０１０９】
浴室暖房換気乾燥装置１で例えば乾燥運転モードの実行中に、設備機器管理システム１００での電力制限等の外因で浴室暖房換気乾燥装置１の運転が停止した後、電力制限が解除された時に運転が停止したままであると、被乾燥物の乾燥が行えない。
【０１１０】
そこで、本実施の形態では、電力制限が解除されると、運転停止前に実行していた運転モードで運転を再開することで、例えば、運転停止前に乾燥運転モードが実行されていた場合は、乾燥運転モードでの運転が再開され、被乾燥物の乾燥を行うことができる。また、使用者が操作せずとも運転が再開でき、操作の手間を省略することができる。
【０１１１】
更に、設備機器管理システム１００での電力制限等の外因で浴室暖房換気乾燥装置１の運転が停止したことを、外部端末装置１０５及び操作部１４で表示出力することで、使用者等は運転停止の要因を認識できる。これにより、運転停止の要因が故障や誤動作でないと判断でき、取り扱い説明書の確認や保守の依頼等の手間を省略することができる。
【０１１２】
図１７は、浴室暖房換気乾燥装置と他機器を連動させた動作の一例を示すフローチャートで、次に、各図を参照して、設備機器管理システム１００に接続された浴室暖房換気乾燥装置１と他機器を連動させた動作について説明する。
【０１１３】
図１７のステップＳＧ１で、浴室暖房換気乾燥装置１が接続された設備機器管理システム１００の主制御機器１０２は、浴室暖房換気乾燥装置１から入力された運転情報、設備機器管理システム１００に接続された他機器、例えば、図示しないレンジフード等の換気を行う機能を有した設備機器から入力された運転情報から、各設備機器の動作状況を監視する。
【０１１４】
図１７のステップＳＧ２で、浴室暖房換気乾燥装置１と他の設備機器の換気風量が適正であるか判断し、換気風量が適正であれば、図１７のステップＳＧ３で、浴室暖房換気乾燥装置１の運転を継続する。これに対し、他の設備機器の換気風量が大きい等、他の設備機器を運転した場合に換気風量が適正でないと判断すると、図１７のステップＳＧ４で、主制御機器１０２は、浴室暖房換気乾燥装置１に外部制御信号を出力し、浴室暖房換気乾燥装置１の運転を停止させる。
【０１１５】
浴室暖房換気乾燥装置１で浴室２０１及び他室の換気を行っている状態で、例えば、レンジフード等の換気機能を有した他の設備機器を動作させた場合、各設備機器の換気風量によっては、浴室暖房換気乾燥装置１で構成される風路で空気が逆流する可能性がある。
【０１１６】
そこで、本実施の形態では、設備機器管理システム１００に接続された所定の設備機器が運転されると、浴室暖房換気乾燥装置１の運転を停止させて、浴室暖房換気乾燥装置１の風路を閉じることで空気の逆流を防ぎ、居室への臭気の流れ込み等を防ぐことができる。
【０１１７】
図１８は、外部端末装置での操作設定情報に基づく動作の一例を示すフローチャートで、次に、各図を参照して、外部端末装置１０５での操作を有効とするか無効とするかが設定される操作設定情報に基づく動作について説明する。
【０１１８】
浴室暖房換気乾燥装置１では、外部端末装置１０５から入力された外部制御情報による浴室暖房換気乾燥装置１の操作を有効とするか無効とするかが、操作設定情報により予め設定される。操作設定情報の設定は、操作部１４あるいは外部端末装置１０５から行われる。
【０１１９】
図１８のステップＳＨ１で、運転モードの選択等、外部端末装置１０５で浴室暖房換気乾燥装置１の操作をすると、図１８のステップＳＨ２で、操作設定情報で外部端末装置１０５からの浴室暖房換気乾燥装置１の操作を有効としているか無効としているか判断する。
【０１２０】
操作設定情報で外部端末装置１０５からの浴室暖房換気乾燥装置１の操作を有効としていると判断すると、図１８のステップＳＨ３で、外部端末装置１０５での操作で浴室暖房換気乾燥装置１の運転が実行される。これに対し、操作設定情報で外部端末装置１０５からの浴室暖房換気乾燥装置１の操作を無効としていると判断すると、図１８のステップＳＨ４で、外部端末装置１０５での浴室暖房換気乾燥装置１の操作を無効とする。
【０１２１】
上述したように、住宅２００に居る人が操作部１４を操作して浴室暖房換気乾燥装置１を使用しているときに、外部端末装置１０５を所有する人が外出先等から浴室暖房換気乾燥装置１の操作を行えるようにすると、在宅の人が浴室暖房換気乾燥装置１を使用中であるにも関わらず、意図しない運転に切り替わる可能性がある。
【０１２２】
そこで、本実施の形態では、外部端末装置１０５での操作を有効とするか、無効とするかを設定できるようにすることで、実際に操作が行われる操作部１４以外での操作を制限でき、使用者が意図しない運転への切り替え等を防ぐことができる。
【０１２３】
スマートフォン等の外部端末装置１０５で浴室暖房換気乾燥装置１等の設備機器を操作できるようにした設備機器管理システム１００では、外部端末装置１０５を家族一人ひとりが所有する場合がある。このため、複数の外部端末装置１０５での操作を制限する設定、すなわち、操作を有効とするか無効とするか、操作の優先順位等が設定される。
【０１２４】
例えば、設備機器管理システム１００の主制御機器１０２に対して、複数の外部端末装置１０５での操作の優先順位を設定できるようにしても良い。主制御機器１０２は、外部端末装置１０５からの外部制御信号に対して、外部端末装置１０５毎に設定されている操作の優先順位に基づき、操作が優先される外部端末装置１０５を判断する。
【０１２５】
そして、複数の外部端末装置１０５から外部制御信号が入力された場合、操作を優先する外部端末装置１０５からの外部制御信号を浴室暖房換気乾燥装置１に出力して操作を有効とし、他の外部端末装置１０５からの外部制御信号は出力せず、操作を無効とする。
【０１２６】
また、浴室暖房換気乾燥装置１等の設備機器の制御部１６に対して、複数の外部端末装置１０５での操作の優先順位を設定できるようにしても良い。設備機器管理システム１００の主制御機器１０２は、複数の外部端末装置１０５からの外部制御信号を浴室暖房換気乾燥装置１に出力する。浴室暖房換気乾燥装置１の制御部１６は、外部端末装置１０５毎に設定されている操作の優先順位に基づき、操作が優先される外部端末装置１０５を判断する。そして、操作を優先する外部端末装置１０５からの外部制御信号に基づき浴室暖房換気乾燥装置１を制御し、他の外部端末装置１０５での操作を無効とする。
【０１２７】
更に、設備機器管理システム１００の主制御機器１０２、あるいは、浴室暖房換気乾燥装置１等の設備機器の制御部１６は、複数の外部端末装置１０５からの外部制御信号に対して、後から入力された外部制御信号を優先しても良い。
【０１２８】
また、設備機器管理システム１００の主制御機器１０２、あるいは、浴室暖房換気乾燥装置１等の設備機器の制御部１６は、複数の外部端末装置１０５からの外部制御信号に対して、任意の外部端末装置１０５での後からの操作で外部制御信号が入力されたとき、先に操作が行われた外部端末装置１０５に操作許可を求める通知情報を出力する。そして、先に操作が行われた外部端末装置１０５の使用者に、操作の変更の許可を求めるようにしても良い。
【０１２９】
更に、設備機器管理システム１００の主制御機器１０２、あるいは、浴室暖房換気乾燥装置１等の設備機器の制御部１６は、複数の外部端末装置１０５からの外部制御信号に対して、任意の外部端末装置１０５での後からの操作で外部制御信号が入力されたとき、先に他の外部端末装置１０５での操作で動作していることを通知する通知情報を、後から操作された外部端末装置１０５に出力する。そして、後からの外部端末装置１０５での操作を無効とするようにしても良い。
【０１３０】
図１９及び図２０は、通信制御部の着脱に基づく動作の一例を示すフローチャートで、次に、各図を参照して、通信制御部１０の着脱で、外部端末装置１０５等での操作を有効とするか無効とするかを設定する動作について説明する。
【０１３１】
通信制御部１０が浴室暖房換気乾燥装置１に対して着脱可能な構成であって、図１９のステップＳＩ１で、通信制御部１０が浴室暖房換気乾燥装置１に接続される。図１９のステップＳＩ２で、通信制御部１０が浴室暖房換気乾燥装置１に接続されていると判断すると、図１９のステップＳＩ３で、外部端末装置１０５等、設備機器管理システム１００に接続された外部の端末との通信を行って動作を行う。
【０１３２】
図１９のステップＳＩ２で、通信制御部１０が浴室暖房換気乾燥装置１に接続されていないと判断すると、図１９のステップＳＩ４で、設備機器管理システム１００から独立して動作を行う。
【０１３３】
図２０のステップＳＪ１で、通信制御部１０が浴室暖房換気乾燥装置１から取り外される。図２０のステップＳＪ２で、通信制御部１０が浴室暖房換気乾燥装置１から取り外されていると判断すると、図２０のステップＳＪ３で、設備機器管理システム１００から独立して動作を行う。
【０１３４】
図２０のステップＳＪ２で、通信制御部１０が浴室暖房換気乾燥装置１から取り外されていないと判断すると、図２０のステップＳＪ４で、外部端末装置１０５等、設備機器管理システム１００に接続された外部の端末との通信を行って動作を行う。
【０１３５】
上述した実施の形態では、通信制御部１０の着脱で、設備機器管理システム１００に接続された外部の端末での誤操作等による浴室暖房換気乾燥装置の意図しない運転を防ぐことができる。
【産業上の利用可能性】
【０１３６】
本発明は、住宅に設置される熱源を有する浴室暖房換気乾燥装置、レンジフード、熱交換型換気装置等の他の換気装置、エアコンディショナー等の空調装置、空気清浄装置、熱源を有する床暖房装置等に適用される。
【符号の説明】
【０１３７】
１・・・浴室暖房換気乾燥装置、１０・・・通信制御部、１４・・・操作部、１６・・・制御部、１００・・・設備機器管理システム、１０１・・・宅内ネットワーク、１０２・・・主制御機器、１０５・・・外部端末装置
【図１】
2014110456.tif 000003
【図２】
2014110456.tif 000004
【図３】
2014110456.tif 000005
【図４】
2014110456.tif 000006
【図５】
2014110456.tif 000007
【図６】
2014110456.tif 000008
【図７】
2014110456.tif 000009
【図８】
2014110456.tif 000010
【図９】
2014110456.tif 000011
【図１０】
2014110456.tif 000012
【図１１】
2014110456.tif 000013
【図１２】
2014110456.tif 000014
【図１３】
2014110456.tif 000015
【図１４】
2014110456.tif 000016
【図１５】
2014110456.tif 000017
【図１６】
2014110456.tif 000018
【図１７】
2014110456.tif 000019
【図１８】
2014110456.tif 000020
【図１９】
2014110456.tif 000021
【図２０】
2014110456.tif 000022